(57)【要約】【課題】ボールの手前にクラブヘッドが接地する不正なスウィングを行ったとき、そのことを練習者が明確に認識できるゴルフ練習用マットを提供する。【解決手段】ゴルフ練習用マット１は、板状基部２の上面に、適宜の幅の分割域５で隔てられた第１人工芝部３と第２人工芝部４とを有する。第１人工芝部３及び第２人工芝部４は、それぞれ第１ベース６及び第２ベース７上に人工芝３ａ及び４ａを有する。第１ベース６及び第２ベース７は、分割域５側にそれぞれ非固定部６ａ及び７ａを残して、それぞれ第１接着剤層８及び第２接着剤層９を介して基部２の上面に固定される。スウィングの練習を行うときは、分割域５の近傍の人工芝４ａ上にボール１０を置き、第１人工芝部３側から、クラブヘッドが分割域５及び第２ベース７の側縁７ｂに触れないように振り抜く。【選択図】　図１
2004065748.tif 000002
【特許請求の範囲】
【請求項１】
板状基部の上面に人工芝を設けてなるゴルフ練習用マットであって、第１人工芝部と第２人工芝部とが、適宜の幅の分割域で隔てられて前記基部上面に設けられており、前記第１及び第２人工芝部は、それぞれ第１ベース及び第２ベース上に人工芝を有して構成され、かつ前記第１及び第２ベースの少なくとも一方の前記分割域側は、前記基部に固定されない非固定部を形成することを特徴とするゴルフ練習用マット。
【請求項２】
前記分割域に、第３人工芝部が設けられていることを特徴とする請求項１に記載のゴルフ練習用マット。
【請求項３】
前記非固定部の前記分割域側端部が、上方に曲げられて傾斜部を形成し、この傾斜部の上縁が、当該第１又は第２人工芝部の上面とほぼ同一面内にあることを特徴とする請求項１又は２に記載のゴルフ練習用マット。
【請求項４】
前記第１及び第２人工芝部に、丈夫でバネ性のある素材から成る、ゴルフボールを係止するための複数のボール係止部材が突設されていることを特徴とする請求項１〜３のいずれか１項に記載のゴルフ練習用マット。
【発明の詳細な説明】
【０００１】
【発明の属する技術分野】
本発明は、ゴルフのスウィング練習用マットに係り、特にアイアン及びフェアウェーウッド等の練習に用いるのに好適なゴルフ練習用マットに関する。
【０００２】
【従来の技術】
ゴルフ練習用マットとしては、図１５に示されるように、矩形のゴムから成るベース２１上に、１５ｍｍ前後の人工芝２２が全面に設けられたものが使用されている。このような従来のゴルフ練習用マット２０では、マット上にボール２３を置いてスウィングする場合、クラブヘッド２４がマットの上で滑りやすい。従って、図１５中一点鎖線で示されるように、実際の芝生上ではボールがほとんど飛ばないほど、ボール２３の手前にクラブヘッド２４が接地する、いわゆるダフリをしても、クラブヘッド２４がマット上を滑ってボール２３に当たるので、ボール２３は正常に飛んでしまう。その結果、練習者は正しいスウィングをしたものと錯覚してしまい、間違ったスウィングを身につけてしまうことが多かった。
【０００３】
そこで、上記問題点を解決するために種々の提案がなされている。例えば、実用新案登録第３０７３０９１号公報には、人工芝の固定材に凹凸を設け、その上部に人工芝を固定し、人工芝の上部面は平らにする構成のゴルフ練習用マットが開示されている。従って、スウィング中ダフったときには、クラブヘッドがマットの凹凸部に引っかかり、生の芝に近い感触が得られる。
【０００４】
また、特開平１０−１５５９６４号公報には、図１６に示されるように、人工芝３１ａが一方向に傾斜して延びるベース３２上の区域Ａと、この区域Ａに隣接し、人工芝３１ｂが垂直、又は区域Ａとは逆方向に傾斜して延びる区域Ｂとを有するゴルフ練習用マット３０が開示されている。このマットを利用して練習する際には、区域ＡとＢの境界３３又はその近傍にボール３４を置き、区域Ａ側からクラブヘッド３５を振り下ろし、区域Ｂ側へ振り抜く。この際、不正なスウィング（ダフリ）を行ったときは（図１６中一点鎖線で示される）、区域Ａの人工芝３１ａからクラブヘッド３５が抵抗を受けるので、練習者はスウィングが不正であったことを知覚することができる。
【０００５】
【発明が解決しようとする課題】
しかし、上記実用新案登録第３０７３０９１号のゴルフ練習用マットは、凹凸の固定材に人工芝を均一に設けなければならず、製造が困難である。また、従来のゴルフ練習用マットと同様に通常の練習をしたい場合には利用しにくい。一方、特開平１０−１５５９６４号のゴルフ練習用マットは、人工芝の芝目を変化させたのみなので、ダフったときの知覚の程度があまり大きくなく、不正スウィングを認識しにくい。
【０００６】
本発明は、上述の問題点を解決するために提案されたもので、その目的は、ボールの手前にクラブヘッドが接地する不正なスウィングを行った場合、そのことを練習者が明確に認識できるゴルフ練習用マットを提供することである。
本発明の他の目的は、製造が容易で、かつ通常の練習にも利用しやすいゴルフ練習用マットを提供することである。
【０００７】
【課題を解決するための手段】
上記目的を達成するために、本発明のうち請求項１に記載の発明は、板状基部の上面に人工芝を設けてなるゴルフ練習用マットであって、第１人工芝部と第２人工芝部とが、適宜の幅の分割域で隔てられて前記基部上面に設けられており、前記第１及び第２人工芝部は、それぞれ第１ベース及び第２ベース上に人工芝を有して構成され、かつ前記第１及び第２ベースの少なくとも一方の前記分割域側は、前記基部に固定されない非固定部を形成することを特徴とする。
【０００８】
このゴルフ練習用マットは、次のように使用する。まず、非固定部を有する第１又は第２人工芝部の分割域との境界近傍にボールを載置する。そして、クラブヘッドが分割域側からボールに向かうようにスウィングの練習を行う。この際、ボールの手前に打ち込んでしまったときは、クラブヘッドは第１又は第２ベースの分割域側の側縁に当接し、強い抵抗を受ける。従って、練習者は不正なスウィングであったことを知覚することができる。この場合、当該ベースの分割域側は基部に固定されていないので、その第１又は第２人工芝部がクラブヘッドに押圧されて折り曲げられ、又は場合によっては上方に押し上げられる。従って、スウィングの適否の判断が非常に分かり易く、不正スウィングを明確に認識することができる。
【０００９】
前記非固定部は、第１又は第２人工芝部の一方に設ければ上記効果を奏することができるが、両方に設けると、片方の人工芝部が消耗等してしまった場合に、もう一方の人工芝部を利用して上記のようなスウィング練習を行うことができ、好適である。
【００１０】
なお、本発明のゴルフ練習用マットは、ボールを置く位置を変えることによって、すなわち、第１又は第２人工芝部の分割域から離れた適所にボールを置くことによって、従来のゴルフ練習用マットと同様に通常の練習にも利用することができる。また、板状基部の上面に、従来のゴルフ練習用マットと同様の人工芝部を設ける構成なので、製造が容易である。
【００１１】
ここで、前記分割域には、人工芝を設けなくても上記機能を果たすことができるが、人工芝の無い部分が存在すると、練習者が違和感をいだくことがある。そこで、請求項２に記載のように、前記分割域に第３人工芝部を設けることができる。
【００１２】
このような構成にすると、練習者は、通常のゴルフ練習用マットと同様の感覚でスウィング練習を行うことができる。なお、第１、第２、及び第３人工芝部の高さをほぼ同一に統一することにより、一層違和感なく練習を行うことができ、好ましい。
【００１３】
なお、上級者になると、もっと正確なショットの練習が要求される。そこで、請求項３に記載の発明のように、請求項１又は２に記載のゴルフ練習用マットにおいて、前記非固定部の前記分割域側端部が、上方に曲げられて傾斜部を形成する構成とすることができる。この傾斜部の上縁は、当該第１又は第２人工芝部の上面とほぼ同一面内にある。ここで、「傾斜部の上縁が、当該第１又は第２人工芝部の上面とほぼ同一面内にある」とは、傾斜部の上縁が、当該第１及び第２人工芝部の上面より大きく突出せず、かつ該面より大きく下がっていない状態を意味する。
【００１４】
このような構成としたので、練習者は、より厳しく不正なスウィングを認識することができる。すなわち、第１又は第２人工芝部の分割域との境界近傍にボールを載置してスウィングの練習を行う際、非固定部の分割域側端部が上方に傾斜し、かつこの傾斜部の上縁が、当該第１又は第２人工芝部の上面とほぼ同一面内にあるので、少しでもボールの手前に打ち込んでしまうと、クラブヘッドは当該傾斜部の側縁或いは裏面に当接してしまう。従って、最も正しいスウィング（クラブヘッドが正しくボールに当たり、その後ボールの先のマットを滑らせるスウィング）でなければ、ボールは飛ばない。そこで、傾斜部の側縁に当接しないように留意することにより、さらに正確なスウィングの練習ができ、上級者の要求にも合致する。なお、傾斜部の傾斜角は、上記作用を生じる適宜の角度を選択できるが、好ましくは３０°〜６０°、最も好ましくは約４５°である。
【００１５】
請求項４記載の発明は、請求項１〜３のいずれか１項に記載のゴルフ練習用マットにおいて、前記第１及び第２人工芝部に、丈夫でバネ性のある素材から成る、ゴルフボールを係止するための複数のボール係止部材が突設されていることを特徴とする。
このような手段を講じたことにより、本ゴルフ練習用マットを斜面で利用する場合にも、ゴルフボールが転がることを防止できる。このボール係止部材は丈夫でバネ性を有するので、ショットによって倒されても元の状態に復帰することができる。なお、丈夫でバネ性のある素材としては、ナイロン等の樹脂から成る釣り糸様のものを使用することができる。
【００１６】
ここで、ボール係止部材は、斜面においてゴルフボールを係止できれば、どのように設けてもよいが、４本のボール係止部材が、それぞれゴルフボールに当接するように設けると、本ゴルフ練習用マットを種々の方向・角度に傾斜した場所で使用する場合にも、効率的にショットの練習を行うことができる。
【００１７】
また、上述したように、第１又は第２人工芝部の分割域との境界近傍にボールを載置してスウィングの練習を行う際、本ゴルフ練習用マットの効果を最大限に発揮できる箇所にボール係止部材を設けることにより、ボール載置位置の指標としての機能をも果たす。特に、請求項３に記載のゴルフ練習用マットのように傾斜部を有する場合、最適な位置にボール係止部材を設けることにより、ボールがうまく飛ぶクラブヘッドの軌道をかなり厳密に規制することができ、より高度な練習を的確に行うことができる。
【００１８】
【発明の実施の形態】
以下、図面を参照して本発明の実施の形態について詳細に説明する。
図１は、本発明の一実施形態に係るゴルフ練習用マットの斜視図である。本実施形態のゴルフ練習用マット１は、概略、基部２、第１人工芝部３、第２人工芝部４、及び分割域５を有する。
【００１９】
第１人工芝部３及び第２人工芝部４は、それぞれ第１ベース６及び第２ベース７の上面に人工芝３ａ、４ａを有して構成されている。そして、この第１人工芝部３及び第２人工芝部４が、適宜の幅の分割域５で隔てられて基部２上に配設される。この際、第１人工芝部３及び第２人工芝部４の第１ベース６及び第２ベース７の分割域５側は、それぞれ基部２に固定されない非固定部６ａ、７ａを形成する。そして、非固定部６ａ及び７ａを除く第１ベース６及び第２ベース７が、基部２の上面に固定される。固定手段は、特に限定されないが、例えば、第１ベース６及び第２ベース７の非固定部６ａ及び７ａ以外の下面に、それぞれ第１接着剤層８及び第２接着剤層９を設けて基部２に固定することができる。なお、結束糸を利用し、基部２と第１ベース６及び第２ベース７を係り止めして固定してもよい（図示せず）。
【００２０】
このゴルフ練習用マット１を用いてスウィングの練習を行うに当たっては、図２に示されるように、ボール１０を飛ばす方向の第１人工芝部３又は第２人工芝部４の人工芝（図２においては、人工芝４ａ）の最も分割域５に近いところにボール１０を置く。そして、クラブヘッド１１が、分割域５及び第１ベース６又は第２ベース７の側縁６ｂ又は７ｂ（図２においては、側縁７ｂ）に触れないように打ち抜く。この場合、クラブヘッド１１が、図２中一点鎖線で示されるように正しい軌道を通ったときは、練習者はほとんど抵抗を感じることなくスウィングを全うすることができる。
【００２１】
しかし、図３に示されるように、ボール１０の手前にスウィングの軌道がずれたときは、クラブヘッド１１が第２ベース７の側縁７ｂに当接して強い抵抗を受け、不正なスウィングであったことが練習者に知覚される。この際、例えば、図４に示されるように、第２人工芝部４がクラブヘッド１１に押圧されて折り曲げられる。場合によっては、図５に示されるように、第２人工芝部４が上方に押し上げられる。従って、不正スウィングの判断が非常に分かり易く、明確に認識することができる。
【００２２】
本実施形態では、図１に示されるように、基部２は長方形であり、分割域５を基部２のほぼ中央に設けている。そして、第１人工芝部３及び第２人工芝部４の第１ベース６及び第２ベース７の両方に非固定部６ａ及び７ａを有する構成となっている。第１人工芝部３又は第２人工芝部４のいずれか一方のみに非固定部を有する構成とすることもできるが、本実施形態のように両方に設けると、一方の人工芝部が消耗等してしまった場合に、もう一方の人工芝部を利用して、上述のような練習を行うことができ、好適である。
なお、図６に示されるように、分割域５から離れた適所にボール１０を置けば、従来のゴルフ練習用マットと同様に使用できる。
【００２３】
また、図７に示されるように、分割域５に第３人工芝部１２を設ける構成とすることができる。この第３人工芝部１２は、第３ベース１３の上面に人工芝１２ａを有して構成され、例えば接着剤等によって（図示せず）、分割域５に固定される。第３ベース１３は、第１ベース６及び第２ベース７の下部に重畳される重畳部１３ａ、１３ａを有するように製造すると、不正スウィング時にクラブヘッド１１が、第１ベース６及び第２ベース７の側縁６ｂ及び７ｂを捕らえやすく、好ましい。なお、第３人工芝部１２は、基部２の分割域５上に人工芝を直接植設することによって形成することもできる（図示せず）。
第３人工芝部１２の上面は、第１人工芝部３及び第２人工芝部４の上面とほぼ同一高さになるように形成すると、従来のゴルフ練習用マットと同様の外観を呈するので、練習者も違和感なく利用することができ、好適である。
【００２４】
図８は、第１人工芝部３及び第２人工芝部４の適所にボール係止部材１４を設けた場合のゴルフ練習用マット１の側面図である。このボール係止部材１４は、ナイロン製のバネ性のある素材で形成され、図９に示されるように、４本のボール係止部材１４で、ボール１０を係止できるように突設されている。本実施の形態においては、第１人工芝部３及び第２人工芝部４の分割域５近傍の複数箇所と、各人工芝部の中央周辺の適所に設けられている。これら４本のボール係止部材１４の間にボール１０を置くことにより、あらゆる方向・角度で傾斜した斜面で、本ゴルフ練習用マット１を利用することができる。また、複数カ所に、それぞれボール１０をセットすることにより、連続してショット可能であり、効率的にショットの練習を行うことができる。なお、ボール係止部材１４の長さは、斜面でもゴルフボールが転がらない適宜の長さを選択でき、例えば、人工芝の上面から１０ｍｍ程度突出する長さとすることができる。
【００２５】
図１０は、本発明の他の実施形態に係るゴルフ練習用マット１の要部の拡大側面図である。このゴルフ練習用マット１は、非固定部６ａ及び７ａの分割域５側の端部が、それぞれ上方に曲げられて傾斜部６ｓ及び７ｓを形成している。この傾斜部６ｓ及び７ｓの上縁６ｕ及び７ｕは、それぞれ第１人工芝部３及び第２人工芝部４の上面とほぼ同一面内にある。傾斜角度αは、約４５°である。なお、傾斜部６ｓ及び７ｓの上面の人工芝３ａ′及び４ａ′は、それぞれ人工芝３ａ及び人工芝４ａとほぼ同一高さになるように形成されている。
【００２６】
さらに、ボール係止部材１４が、本ゴルフ練習用マット１の効果を最大限に発揮できる箇所に設けられている。すなわち、図１０に示されるように、これらボール係止部材１４に当接するようにボール１０を置くと、当該傾斜部６ｓ又は７ｓの上縁６ｕ又は７ｕからボール１０までの距離ｄが５〜１０ｍｍ程度になる。従って、ボールを捕らえることのできるクラブヘッド１１の軌道が厳しく規制されることになる。この状態でスウィングの練習を行うと、少しでもボール１０の手前に打ち込んでしまうと、クラブヘッド１１は当該傾斜部６ｓ又は７ｓの側縁６ｂ又は７ｂ或いは裏面に当接してしまう。従って、図１０の一点鎖線で示されるような最も正しいスウィング（クラブヘッド１１が正しくボール１０に当たり、その後ボール１０の先の人工芝４ａを滑らせるスウィング）でなければ、ボール１０は飛ばない。このように、上級者の要求にも合致する高度な練習を的確に行うことができる。なお、ボール係止部材１４が設けられていない場合は、上記距離ｄが５〜１０ｍｍ程度になるような位置にゴルフボールを置いて練習を行うことにより、上述同様の効果を奏する。
【００２７】
なお、上述のような練習を行い、不正スウィングによってベース６、７の側縁６ｂ、７ｂを繰返し打ち抜いてしまうと、その近傍のベース６、７が、図１１に示されるように隆起してコブ状に変形（ｄｆ）してしまう。そこで、第１人工芝部３及び第２人工芝部４の基部２への固定手段として、容易に着脱可能な固定手段、例えば図１２に示されるような締結手段１５、例えばボルト１５ａとナット１５ｂを採用することができる。そして、第１人工芝部３及び第２人工芝部４のそれぞれ両端部▲１▼、▲２▼及び▲３▼、▲４▼に、それぞれ傾斜部６ｓ及び７ｓを設ける。さらに、図１３に示されるように、第１人工芝部３及び第２人工芝部４のそれぞれ端部▲１▼と▲２▼及び▲３▼と▲４▼の近傍の適所にボルト穴１６を設ける。このような手段を講じると、▲１▼、▲２▼、▲３▼及び▲４▼の４端部を取替えてショットの練習を行うことができる。従って、本ゴルフ練習用マット１を有効利用でき、好適である。
【００２８】
また、上述のようなコブ状の変形（ｄｆ）を直すために、例えば、図１４に示されるような鉄製のスパイクハンマー１７を用いることができる。通常、芝生でショットの練習を行うと、芝生が傷むので手入れが必要である。本ゴルフ練習用マット１を使用する場合は、練習後に、このスパイクハンマー１７でコブ状の変形部分を叩いて直す等、手を加えて修繕することにより、何度でも繰返し使用することができ、至便である。
【００２９】
本発明においては、マットの形状や大きさ、基部材、ベース材、人工芝材、及び人工芝部の基部への固定手段等は、特に限定されるものではなく、例えば、従来利用されている種々のものを適用することができる。
なお、基部２は、練習者がボール１０の手前にクラブヘッド１１を打ち込んで第１ベース６又は第２ベース７の側縁６ｂ又は７ｂに大きな抵抗がかかり、本ゴルフ練習用マット１が飛んで行かない程度の重量のある素材、例えば、ゴムマット等を使用するとよい。
【００３０】
【発明の効果】
以上説明したように、本発明のゴルフ練習用マットを利用すると、ボールの手前に接地してしまう不正なスウィングを行った場合、第１又は第２人工芝部の第１又は第２ベースの側縁にクラブヘッドが当接して強い抵抗を受けるので、スウィングが不正であったことを知覚することができる。この際、人工芝部の分割域側は基部に固定されていないので、人工芝部が変化することにより不正スウィングの判断が非常に分かり易く、明確に認識できる。
また、従来のゴルフ練習用マットと同様に通常の練習を行うことができる。さらに、基部上面に、従来のゴルフ練習用マットと同様の人工芝部を設けた構成なので、製造も容易である。
さらに、人工芝部の分割域側に上方に曲げられた傾斜部を有する構成にすると、本ゴルフ練習用マットをさらに正確なショットの練習に利用することができ、上級者の要求にも応じることができる。
【図面の簡単な説明】
【図１】本発明の一実施形態に係るゴルフ練習用マットの斜視図である。
【図２】図１のゴルフ練習用マットを使用した場合の側面図で、正しい軌道のスウィング状態を示す。
【図３】図１のゴルフ練習用マットを使用した場合の側面図で、不正な軌道のスウィング状態を示す。
【図４】図３の不正な軌道のスウィングの結果予想される人工芝部の変化を示す側面図である。
【図５】図３の不正な軌道のスウィングの結果予想される人工芝部の変化を示す側面図である。
【図６】図１のゴルフ練習用マットを通常の練習に使用する場合の側面図である。
【図７】本発明の他の実施形態に係るゴルフ練習用マットの側面図である。
【図８】本発明の他の実施形態に係るゴルフ練習用マットの側面図である。
【図９】図８の平面図である。
【図１０】本発明の他の実施形態に係るゴルフ練習用マットの要部の拡大側面図である。
【図１１】本発明のゴルフ練習用マットの変形状態の説明図である。
【図１２】本発明の他の実施形態に係るゴルフ練習用マットの側面図である。
【図１３】図１２の平面図である。
【図１４】本発明のゴルフ練習用マットの修繕のために好適なスパイクハンマーを示し、（Ａ）は平面図、（Ｂ）は側面図である。
【図１５】従来のゴルフ練習用マットの側面図である。
【図１６】従来のゴルフ練習用マットの側面図である。
【符号の説明】
１　　　ゴルフ練習用マット
２　　　基部
３　　　第１人工芝部
３ａ　　人工芝
４　　　第２人工芝部
４ａ　　人工芝
５　　　分割域
６　　　第１ベース
６ａ　　非固定部
６ｂ　　側縁
６ｓ　　傾斜部
６ｕ　　上縁
７　　　第２ベース
７ａ　　非固定部
７ｂ　　側縁
７ｓ　　傾斜部
７ｕ　　上縁
８　　　第１接着剤層
９　　　第２接着剤層
１０　　ボール
１１　　クラブヘッド
１２　　第３人工芝部
１２ａ　人工芝
１３　　第３ベース
１４　　ボール係止部材
【図１】
2004065748.tif 000003
【図２】
2004065748.tif 000004
【図３】
2004065748.tif 000005
【図４】
2004065748.tif 000006
【図５】
2004065748.tif 000007
【図６】
2004065748.tif 000008
【図７】
2004065748.tif 000009
【図８】
2004065748.tif 000010
【図９】
2004065748.tif 000011
【図１０】
2004065748.tif 000012
【図１１】
2004065748.tif 000013
【図１２】
2004065748.tif 000014
【図１３】
2004065748.tif 000015
【図１４】
2004065748.tif 000016
【図１５】
2004065748.tif 000017
【図１６】
2004065748.tif 000018